【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
複数のフレーム画像の時間系列で構成される動画像の動き補償予測に用いられる動きベクトルを予測符号化する方法であって、
前記動画像の符号化対象のフレーム画像内の対象区画の動きベクトルを求めるステップと、
前記対象区画に対して左に位置する左隣接領域に属する一以上の区画の動きベクトルから、所定の予測動きベクトル候補決定基準を満たす一つの第１予測動きベクトル候補を決定するステップと、
前記対象区画に対して、上に位置する上隣接領域に属する一以上の区画の動きベクトルから、所定の予測動きベクトル候補決定基準を満たす一つの第２予測動きベクトル候補を決定するステップと、
前記第１予測動きベクトル候補と前記第２予測動きベクトル候補を含む一以上の予測動きベクトル候補と前記対象区画の前記動きベクトルとの比較に基づき、最適予測動きベクトルを選択し、選択した最適予測動きベクトルを特定するための予測動きベクトル指示情報を出力するステップと、
前記予測動きベクトル指示情報を符号化するステップと、を含み、
前記対象区画の予測信号は、参照画面リスト識別番号及び参照画面番号によって特定されるフレーム番号を有する参照フレームを参照することにより生成され、
前記第１予測動きベクトル候補を決定するステップにおいては、前記対象区画用の参照画面リスト識別番号及び参照画面番号と一致する参照画面リスト識別番号及び参照画面番号を有する前記左隣接領域の区画の動きベクトルから、前記第１予測動きベクトル候補が決定され、
前記第２予測動きベクトル候補を決定するステップにおいては、前記対象区画用の参照画面リスト識別番号及び参照画面番号と一致する参照画面リスト識別番号及び参照画面番号を有する前記上隣接領域の区画の動きベクトルから、前記第２予測動きベクトル候補が決定される、方法。
【請求項２】
前記符号化するステップにおいて、前記予測動きベクトル指示情報を、前記予測動きベクトル候補の数に応じたビット数の符号化データに符号化する、請求項１に記載の方法。
【請求項３】
前記符号化するステップにおいて、前記予測動きベクトル指示情報を、前記予測動きベクトル候補の数に応じた最小数のビットの符号化データに符号化する、請求項２に記載の方法。
【請求項４】
前記一以上の予測動きベクトル候補の数が３以下である、請求項１〜３の何れか一項に記載の方法。
【請求項５】
前記対象区画の動きベクトルと前記最適予測動きベクトルとの間の残差信号を符号化せず、前記最適予測動きベクトルを前記対象区画の動きベクトルとして用いる、請求項１〜４の何れか一項に記載の方法。
【請求項６】
複数のフレーム画像の時間系列で構成される動画像の動き補償予測に用いられる動きベクトルを予測符号化する装置であって、
前記動画像の符号化対象のフレーム画像内の対象区画の動きベクトルを求める手段と、
前記対象区画に対して左に位置する左隣接領域に属する一以上の区画の動きベクトルから、所定の予測動きベクトル候補決定基準を満たす一つの第１予測動きベクトル候補を決定する手段と、
前記対象区画に対して、上に位置する上隣接領域に属する一以上の区画の動きベクトルから、所定の予測動きベクトル候補決定基準を満たす一つの第２予測動きベクトル候補を決定する手段と、
前記第１予測動きベクトル候補と前記第２予測動きベクトル候補を含む一以上の予測動きベクトル候補と前記対象区画の前記動きベクトルとの比較に基づき、最適予測動きベクトルを選択し、選択した最適予測動きベクトルを特定するための予測動きベクトル指示情報を出力する手段と、
前記予測動きベクトル指示情報を符号化する手段と、含み、
前記対象区画の予測信号は、参照画面リスト識別番号及び参照画面番号によって特定されるフレーム番号を有する参照フレームを参照することにより生成され、
前記第１予測動きベクトル候補を決定する手段においては、前記対象区画用の参照画面リスト識別番号及び参照画面番号と一致する参照画面リスト識別番号及び参照画面番号を有する前記左隣接領域の区画の動きベクトルから、前記第１予測動きベクトル候補が決定され、
前記第２予測動きベクトル候補を決定する手段においては、前記対象区画用の参照画面リスト識別番号及び参照画面番号と一致する参照画面リスト識別番号及び参照画面番号を有する前記上隣接領域の区画の動きベクトルから、前記第２予測動きベクトル候補が決定される、装置。
【請求項７】
請求項１〜５のいずれか一項に記載の、複数のフレーム画像の時間系列で構成される動画像の動き補償予測に用いられる動きベクトルを予測符号化する方法を、コンピュータにより実行させるプログラム。
【請求項８】
複数のフレーム画像の時間系列で構成される動画像を復元する動き補償予測に用いられる動きベクトルを予測復号する方法であって、
復号対象のフレーム画像内の対象区画に対して左に位置する左隣接領域に属する一以上の区画の動きベクトルから、所定の予測動きベクトル候補決定基準を満たす一つの第１予測動きベクトル候補を決定するステップと、
前記対象区画に対して、上に位置する上隣接領域に属する一以上の区画の動きベクトルから、所定の予測動きベクトル候補決定基準を満たす一つの第２予測動きベクトル候補を決定するステップと、
符号化データを復号して、前記対象区画用の最適予測動きベクトルを特定するための予測動きベクトル指示情報を復元するステップと、
少なくとも前記第１予測動きベクトル候補と前記第２予測動きベクトル候補を含む一以上の予測動きベクトル候補から、前記予測動きベクトル指示情報により特定される最適予測動きベクトルを選択するステップと、を含み、
前記対象区画の予測信号は、参照画面リスト識別番号及び参照画面番号によって特定されるフレーム番号を有する参照フレームを参照することにより生成され、
前記第１予測動きベクトル候補を決定するステップにおいては、前記対象区画用の参照画面リスト識別番号及び参照画面番号と一致する参照画面リスト識別番号及び参照画面番号を有する前記左隣接領域の区画の動きベクトルから、前記第１予測動きベクトル候補が決定され、
前記第２予測動きベクトル候補を決定するステップにおいては、前記対象区画用の参照画面リスト識別番号及び参照画面番号と一致する参照画面リスト識別番号及び参照画面番号を有する前記上隣接領域の区画の動きベクトルから、前記第２予測動きベクトル候補が決定される、方法。
【請求項９】
前記予測動きベクトル指示情報の前記符号化データのビット数は、前記予測動きベクトル候補の数に応じたビット数である、請求項８に記載の方法。
【請求項１０】
前記予測動きベクトル指示情報の前記符号化データのビット数は、前記予測動きベクトル候補の数に応じた最小数のビット数である、請求項９に記載の方法。
【請求項１１】
前記一以上の予測動きベクトル候補の数が３以下である、請求項８〜１０の何れか一項に記載の方法。
【請求項１２】
前記最適予測動きベクトルを前記対象区画の動きベクトルとして用いる、請求項８〜１１の何れか一項に記載の方法。
【請求項１３】
複数のフレーム画像の時間系列で構成される動画像を復元する動き補償予測に用いられる動きベクトルを予測復号する装置であって、
復号対象のフレーム画像内の対象区画に対して左に位置する左隣接領域に属する一以上の区画の動きベクトルから、所定の予測動きベクトル候補決定基準を満たす一つの第１予測動きベクトル候補を決定する手段と、
前記対象区画に対して、上に位置する上隣接領域に属する一以上の区画の動きベクトルから、所定の予測動きベクトル候補決定基準を満たす一つの第２予測動きベクトル候補を決定する手段と、
符号化データを復号して、前記対象区画用の最適予測動きベクトルを特定するための予測動きベクトル指示情報を復元する手段と、
少なくとも前記第１予測動きベクトル候補と前記第２予測動きベクトル候補を含む一以上の予測動きベクトル候補から、前記予測動きベクトル指示情報により特定される最適予測動きベクトルを選択する手段と、を含み、
前記対象区画の予測信号は、参照画面リスト識別番号及び参照画面番号によって特定されるフレーム番号を有する参照フレームを参照することにより生成され、
前記第１予測動きベクトル候補を決定する手段においては、前記対象区画用の参照画面リスト識別番号及び参照画面番号と一致する参照画面リスト識別番号及び参照画面番号を有する前記左隣接領域の区画の動きベクトルから、前記第１予測動きベクトル候補が決定され、
前記第２予測動きベクトル候補を決定する手段においては、前記対象区画用の参照画面リスト識別番号及び参照画面番号と一致する参照画面リスト識別番号及び参照画面番号を有する前記上隣接領域の区画の動きベクトルから、前記第２予測動きベクトル候補が決定される、方法。
【請求項１４】
請求項８〜１２のいずれか一項に記載の複数のフレーム画像の時間系列で構成される動画像を復元する動き補償予測に用いられる動きベクトルを予測復号する方法を、コンピュータにより実行させるプログラム。